(57)【要約】【課題】光線の伝達によるロスが少なく、光度が充分であり、且つ会場のムードを盛り上げ可能である。【解決手段】主に、光透過棒体が設けてあり、光透過棒体の一端に嵌合端が形成され、前記嵌合端は光ガイド膠が塗布された発光体と結合し、光透過棒体の外面には複数の艶消し溝が配列してあり、前記光ガイド膠は紫外線固化膠であることを特徴とする発光棒。【選択図】図１
0003135960.tif 000002
【実用新案登録請求の範囲】
【請求項１】
光透過棒体が設けてあり、光透過棒体の一端に嵌合端が形成され、前記嵌合端は光ガイド膠が塗布された発光体と結合し、光透過棒体の外面には複数の艶消し溝が配列してあることを特徴とする、
発光棒。
【請求項２】
前記光ガイド膠は紫外線固化膠であることを特徴とする、請求項１に記載の発光棒。
【請求項３】
前記光透過棒体の両端には嵌合端がそれぞれ設けてあり、前記二つの嵌合端は、窪み段と、突出段とにそれぞれ形成され、前記窪み段は光ガイド膠が塗布された発光体と結合し、前記突出段に装飾カバーが組付けてあることを特徴とする、請求項１に記載の発光棒。
【考案の詳細な説明】
【技術分野】
【０００１】
本考案は、発光棒に係り、特に、光線の伝達によるロスが少なく、光度が充分であり、且つ会場のムードを盛り上げ可能な発光棒に関するものである。
【背景技術】
【０００２】
目下、国民の一般のレジャー活動は、若者がパーティー、コンサートやスポーツなどを好み、これらの活動を夜間に行う場合には、会場のムードを盛り上げるために、蛍光棒、発光棒、吹き笛などが使用される。
そのうちに、よく使用されるのは蛍光棒であり、蛍光棒は、緑色の液体が充填された樹脂管と、白色の液体が充填されたガラス管と、から構成されるものであり、すなわち、蛍光棒の樹脂管の内部には、ジアセチル・キャベツ酸（Diacetyl Cabbages Acid）と、染料と、一本のガラス管とが組付けてある。
前記ガラス管内には過酸化水素が充填してあり、前記ガラス管を軽く折ると、過酸化水素が前記ガラス管の外部の化合物と混合して発光するが、これらの液体は微毒性を持つので、ユーザがこれらの液体と接触すると、中毒の危険性がある。
【０００３】
上記の欠点を解決するために、発光ダイオードを発光源とする発光棒が開発された。
しかし、一般の発光ダイオードは、光度が高くなく、且つ光線が直線に進行するので、複数の発光ダイオードを組付けることが必要になり、生産コストが向上し、且つ発光ダイオードの光線が直線に進行するので、発光棒は端部だけ光度が高く、他の部分には光度が低いため、会場のムードを盛り上げる効果は良くない。
【考案の開示】
【考案が解決しようとする課題】
【０００４】
本考案の主な目的は、光線の伝達によるロスが少なく、光度が充分であり、且つ会場のムードを盛り上げ可能な発光棒を提供することにある。
【課題を解決するための手段】
【０００５】
上記目的を達成するためになされた本願の第１考案は、光透過棒体が設けてあり、光透過棒体の一端に嵌合端が形成され、前記嵌合端は光ガイド膠が塗布された発光体と結合し、光透過棒体の外面には複数の艶消し溝が配列してあることを特徴とする発光棒であることを要旨としている。
【０００６】
本願の第２考案では、前記光ガイド膠は紫外線固化膠であることを特徴とする第１考案に記載の発光棒であることを要旨としている。
【０００７】
本願の第３考案では、前記光透過棒体の両端には嵌合端がそれぞれ設けてあり、前記二つの嵌合端は、窪み段と、突出段とにそれぞれ形成され、前記窪み段は光ガイド膠が塗布された発光体と結合し、前記突出段に装飾カバーが組付けてあることを特徴とする第1考案に記載の発光棒であることを要旨としている。
【考案の効果】
【０００８】
本考案の発光棒によれば、次のような効果がある。
（イ）本考案は、光ガイド膠（紫外線固化膠）にて発光体と光透過棒体とを結合するので、発光体からの光線が光ガイド膠を通過しているときに、ロスが極めて少なく、発光棒全体の光度が向上する。
【０００９】
（ロ）本考案の発光棒には艶消し溝が設けてあるので、発光体からの光線は、艶消し溝に入射すると、屈折が発生され、外部に射出する光線が少なく、だから、発光棒全体の光度が向上する。
【００１０】
（ハ）本考案の発光棒に握り具や吹き笛などを組付けて、発光棒の突出段に装飾カバーを取付けると、本考案の発光棒の外観は更に綺麗になる。
【００１１】
（二）本考案の発光棒の外形は、円棒にする他に、剣形状や銃形状などにしてもよく、そうすると、本考案の発光棒の外観の変化が多様になる。
【考案を実施するための最良の形態】
【００１２】
以下、添付図面を参照して本考案の好適な実施の形態を詳細に説明する。
【００１３】
まず、図１を参照する。図１は本考案の実施例１の分解斜視図である。本考案の実施例１の発光棒１は、主に、光透過棒体１１が設けてあり、光透過棒体１１の一端に嵌合端１１１が形成され、前記嵌合端１１１は光ガイド膠１３が塗布された発光体１２と結合し、光透過棒体１１の外面には複数の艶消し溝１１４が配列してある。
【００１４】
また、図２を参照する。図２は本考案の実施例１の組合状態の断面図である。
本考案の実施例１の作製方法は、艶消し溝１１４が等距離に配列するように、エッチング（又は彫刻）により光透過棒体１１の表面に艶消し溝１１４を形成し、また、発光体１２を嵌合するための窪み段１１２を光透過棒体１１の嵌合端１１１に設け、前記窪み段１１２に光ガイド膠１３が塗布された発光体１２を嵌め込む。
また、図３を参照しながら本考案の実施例２を説明する。
本考案の実施例２の発光棒は、図３に示すように、光透過棒体１１の外形は、図１に示した円棒にしてもいいし、図３に示した剣形状や銃形状などにしてもよい。
また、艶消し溝１１４が等距離に配列するように、エッチング（又は彫刻）により剣形状を持つ光透過棒体１１の表面に艶消し溝１１４を形成し、発光体１２を嵌合するための窪み段１１２を光透過棒体１１の嵌合端１１１に設け、且つ窪み段１１２の設計は発光体１２の数量に対応し、すなわち、光透過棒体１１の嵌合端１１１に二個または三個の窪み段１１２を形成して、光ガイド膠１３が塗布された二個または三個の発光体１２を前記二個または三個の窪み段１１２に嵌め込んでもよい。
また、図４に示すように、前記発光体１２は、発光ダイオードであり、表面に光ガイド膠１３が塗布してあり、前記光ガイド膠１３は紫外線固化膠であり、嵌合端１１１に形成された窪み段１１２に発光体１２を嵌め込んで、前記光ガイド膠１３に紫外線を照射すると、前記光ガイド膠１３が窪み段１１２に固定されるようになる。
【００１５】
また、図５を参照しながら本考案の実施例３を説明する。
本考案の実施例３の発光棒は、図５に示すように、主に、光透過棒体１１が設けてあり、前記光透過棒体１１の両端には嵌合端１１１がそれぞれ設けてあり、前記二つの嵌合端１１１は、窪み段１１２と、突出段１１３とにそれぞれ形成され、前記窪み段１１２は光ガイド膠１３が塗布された発光体１２と結合し、前記突出段１１３に装飾カバー３が組付けてあり、また、図６に示すように、前記突出段１１３の表面に光ガイド膠１３を塗布して、別の光透過棒体１１の窪み段１１２に前記突出段１１３を嵌め込み、この組付方法を数回に繰り返すと、発光棒の長さは更に長くなる。そうすると、本考案は、光ガイド膠１３にて発光体１２と光透過棒体１１とを結合するので、発光体からの光線が光ガイド膠１３を通過しているときに、ロスが極めて少なく、発光棒全体の光度が向上する。
そして本考案の発光棒１には艶消し溝１１４が設けてあるので、発光体１２からの光線は、艶消し溝１１４に入射すると、屈折が発生され、外部に射出する光線が少なく、だから、発光棒全体の光度が向上する。
【００１６】
また、図７と図８を参照しながら本考案の実施例５を説明する。
本考案の実施例５の発光棒１は、主な構造は上記の実施例と同じであるが、発光棒１に握り具２が組み付けてあり、発光体１２の回線が握り具２のスリーブ２１内に設けられ、前記握り具２には発光体１２の開閉を制御するためのスイッチ２２を設けてもよく、また、前記握り具２の代りに吹き笛を設けてもよい。
また、図９に示すように、実施例２の剣形状を持つ光透過棒体１１に握り具２を組み付けてもよく、且つ前記握り具２には発光体１２の開閉を制御するためのスイッチ２２を設けてもよく、また、前記握り具２の代りに吹き笛を設けてもいい。そうすると、本考案の発光棒１の外観の変化が多様になる。
【００１７】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１８】
【図１】本考案の実施例１の分解斜視図である。
【図２】本考案の実施例１の組合状態の断面図である。
【図３】本考案の実施例２の組合状態の外観図である。
【図４】本考案の一部の拡大図である。
【図５】本考案の実施例３の組合状態の断面図である。
【図６】本考案の実施例４の組合状態の断面図である。
【図７】本考案の実施例５の分解斜視図である。
【図８】本考案の実施例５の組合状態の断面図である。
【図９】本考案の実施例６の分解斜視図である。
【符号の説明】
【００１９】
１        発光棒
１１      光透過棒体
１１１    嵌合端
１１２    窪み段
１１３    突出段
１１４    艶消し溝
１２      発光体
１３      光ガイド膠
２        握り具
２１      スリーブ
２２      スイッチ
３        装飾カバー
【図１】
0003135960.tif 000003
【図２】
0003135960.tif 000004
【図３】
0003135960.tif 000005
【図４】
0003135960.tif 000006
【図５】
0003135960.tif 000007
【図６】
0003135960.tif 000008
【図７】
0003135960.tif 000009
【図８】
0003135960.tif 000010
【図９】
0003135960.tif 000011